(57)【特許請求の範囲】
【請求項１】
カートリッジ型内挿物が装填される容器を備え、前記容器を、所定の装置内固定位置に対し、前記内挿物の抜き出しおよび装填用スペースを実質的に装置外部に確保すべく回転可能に保持する保持手段を設けたユニット型装置であって、前記保持手段は、ユニット支柱からユニット内方に向けて延びた上側取付腕および下側取付腕と、前記容器の上部側および下部側が固定される上ビームおよび下ビームを有し、前記下側取付腕に設けられた回転支点を中心に回転可能に前記下ビームが保持されるとともに、保持されている前記容器が所定の装置内固定位置に所定の姿勢にて固定されるように前記上ビームが前記上側取付腕に対しストッパ機構を介して係止可能に設けられた可動架台と、該可動架台が前記回転支点を中心に回転される際、該可動架台に保持されている前記容器を前傾姿勢に保つ該可動架台の係止機構と、を有することを特徴とするユニット型装置。
【請求項２】
前記容器が筒状容器からなる、請求項１のユニット型装置。
【請求項３】
所定の装置内固定位置にある前記容器の内挿物抜き出し方向の位置に機器または／および配管が存在する、請求項１または２のユニット型装置。
【請求項４】
水処理装置である、請求項１ないし３のいずれかに記載のユニット型装置。
【発明の詳細な説明】
【０００１】
【発明の属する技術分野】
本発明は、カートリッジ型内挿物が装填される容器を備えたユニット型装置に関し、とくに、内挿物の装填や交換の容易化とともに装置全体の小型化を可能にしたユニット型装置に関する。
【０００２】
【従来の技術】
カートリッジ型内挿物が装填される容器を備えたユニット型装置、たとえばカートリッジ型フィルタやカートリッジ型イオン交換体、カートリッジ型活性炭パック体等が装填される容器を備えた各種水処理用のユニット型装置においては、一般に、カートリッジ型内挿物は容器に対し、所定の方向から抜き出したり装填したりする必要がある。このような容器は、通常、比較的長尺の筒状体に形成されているが、とくにカートリッジ型内挿物を交換する際、カートリッジ型内挿物を抜き出したり装填したりするためには、容器に対して所定の方向に抜き出し・装填用のスペースを確保する必要がある。
【０００３】
ところがユニット型装置においては、装置全体を極力コンパクトに構成することを要求される場合が多いので、ユニット型装置内に、固定配置された容器に対して、所定の方向の位置に上記のようなカートリッジ型内挿物抜き出し・装填用スペースを確保すると、その分、装置全体が大型化せざるを得ない。とくに、各種水処理装置のように、ユニット型装置内に各種機器や配管を組み込まなければならないユニット型装置の場合、装置内に抜き出し・装填用スペースを確保することが難しい場合が多く、敢えて確保すると上記の如く装置全体の大型化は避けられない。
【０００４】
一方、装置内に上記のような抜き出し・装填用スペースを確保せずに、カートリッジ型内挿物を交換する方法として、容器を装置から取外し、その状態で内挿物を交換し、交換後に再び容器を装置に固定する方法も考えられるが、作業に著しく手間がかかり、メンテナンス性の悪さを伴うことになる。
【０００５】
【発明が解決しようとする課題】
そこで本発明の課題は、装置内の所定位置に固定された容器に対し、カートリッジ型内挿物抜き出し・装填方向に機器や配管が存在する場合にも、容器を装置から取り外すことなく容易にカートリッジ型内挿物を交換できるようにし、メンテナンス性の向上と装置全体の小型化をともに達成できるようにしたユニット型装置を提供することにある。
【０００６】
【課題を解決するための手段】
上記課題を解決するために、本発明に係るユニット型装置は、カートリッジ型内挿物が装填される容器を備え、前記容器を、所定の装置内固定位置に対し、前記内挿物の抜き出しおよび装填用スペースを実質的に装置外部に確保すべく回転可能に保持する保持手段を設けたユニット型装置であって、前記保持手段は、ユニット支柱からユニット内方に向けて延びた上側取付腕および下側取付腕と、前記容器の上部側および下部側が固定される上ビームおよび下ビームを有し、前記下側取付腕に設けられた回転支点を中心に回転可能に前記下ビームが保持されるとともに、保持されている前記容器が所定の装置内固定位置に所定の姿勢にて固定されるように前記上ビームが前記上側取付腕に対しストッパ機構を介して係止可能に設けられた可動架台と、該可動架台が前記回転支点を中心に回転される際、該可動架台に保持されている前記容器を前傾姿勢に保つ該可動架台の係止機構と、を有することを特徴とするものからなる。
【０００７】
このユニット型装置においては、上記容器は、たとえば比較的長尺の筒状容器からなり、その容器の長手方向に対して、カートリッジ型内挿物が抜き出しおよび装填される。
【０００８】
この本発明に係るユニット型装置は、とくに、所定の装置内固定位置にある前記容器の内挿物抜き出し方向の位置に機器または／および配管が存在するものに特に効果的なものである。
【０００９】
本発明に係るユニット型装置の適用対象としては、たとえば水処理装置が挙げられる。水処理装置としては、カートリッジ型フィルタが装填される容器を備えた安全フィルタユニットや通常の濾過ユニット、交換可能なカートリッジ型イオン交換体や活性炭パック体が装填される容器を備えたイオン交換ユニットや浄化ユニット、限外濾過膜や逆浸透膜等の膜エレメントが装填される容器を備えた膜モジュールが挙げられる。さらに、たとえばカートリッジ型内挿物としての紫外線ランプが装填される容器を備えた紫外線殺菌あるいは紫外線酸化ユニット型装置等にも、本発明を適用することができる。
【００１０】
上記のような本発明に係るユニット型装置において、装置内に設けられた容器内からカートリッジ型内挿物を抜き出したり容器内にカートリッジ型内挿物を装填する場合には、容器は、それまでの所定の装置内固定位置に対し、可動架台とともに回転され、それによって、内挿物の抜き出しおよび装填用スペースが実質的に装置外部に確保される。すなわち、容器の所定の装置内固定位置に対しては、内挿物の抜き出しおよび装填方向の位置に機器や配管が存在し、そのままでは内挿物の交換作業が不可能な場合にあっても、容器を回転させることによって、抜き出しおよび装填用スペースを、機器や配管と干渉しない装置外部のスペースとして確保するのである。これによって、容器を取り外すことなく、カートリッジ型内挿物を交換できるようになり、交換作業が容易化され、メンテナンス性が向上される。また、装置内に交換用スペースをとる必要がないので、ユニット型装置全体の小型化も可能になる。
【００１１】
なお、本発明において「抜き出しおよび装填用スペースを実質的に装置外部に確保」とは、文字どおりユニット型装置の外部にスペースを確保する場合は勿論、ユニット型装置が大型のものであって、ユニット内に空きスペース（例えばユニット内のメンテナンス通路）が設けられている場合は、この空きスペースを抜き出しおよび装填用スペースとして利用する場合も含むものである。
【００１２】
【発明の実施の形態】
以下に、本発明の望ましい実施の形態を、図面を参照しながら説明する。
図１ないし図３は、本発明の一実施態様に係るユニット型装置を示しており、とくに水処理装置としての、カートリッジ型フィルタを容器内に装填するようにした濾過ユニット装置に本発明を適用した場合を示している。
【００１３】
図１ないし図３において、１はユニット型装置全体を示しており、ユニット型装置１内には、カートリッジ型フィルタからなるカートリッジ型内挿物２が装填される、筒状の容器３が、所定の位置に所定の姿勢にて固定配置されている。本実施態様では、容器３は２つ設けられており、２つの容器３はともに可動架台４に、上部側および下部側の位置にて固定されている。可動架台４は、ビーム材等の枠組み体に構成されており、枠組み体として一体的に、容器３とともに、回転支点５を中心に回転可能に設けられている。
【００１４】
ユニットの支柱６からは、ユニット内方に向けて、上側取付腕７と下側取付腕８が延びており、下側取付腕８に、ボルトやピンによって構成された回転支点５が設けられている。この回転支点５を中心に回転可能に、可動架台４の下ビーム４ｂが保持されている。
【００１５】
可動架台４の上ビーム４ａには、両側にストッパ機構９が設けられており、ストッパ機構９のストッパピン１０をスライドさせて上側取付腕７に設けられた孔１１に挿入することにより、可動架台４が所定の位置に固定され、可動架台４に取り付けられている容器３が、所定の装置内固定位置に所定の姿勢にて固定されるようになっている。
【００１６】
可動架台４の上ビーム４ａは、支柱６間距離よりも両側に若干長く延設されており、図３に示すように、上側取付腕７の奥端部は、可動架台４が垂直姿勢となる方向に回転されてきたときに上ビーム４ａを係止できるように鉤形部７ａに形成されており、この方向の回転動作に対してストッパの機能を果たすことができるようになっている。可動架台４および容器３が前傾する方向の回転動作に対しては、上ビーム４ａの両側延設部が支柱６に係止されることにより、ストッパの機能が果たされるようになっている。
【００１７】
容器３がユニット型装置１内の所定の位置に固定されているときの、容器３のカートリッジ型内挿物２の抜き出し方向の位置（図示例では、容器３の上方の位置）には、配管１２が存在している。図には配管１２のみが示されているが、実際には機器および配管が入り組んだ状態で配置されている場合が多い。
【００１８】
なお、容器３と配管１２が接続されている場合、容器３を回転させる際には適当なジョイント部で切り離すか、場合によっては容器３の所定の回転量を許容できるように部分的にフレキシブルな配管で接続しておけばよい。
【００１９】
上記のように構成された本実施態様に係るユニット型装置１においては、カートリッジ型内挿物２を交換する際には、必要に応じて、容器３に接続されている配管が切り離され、ストッパ機構９のストッパピン１０が上側取付腕７の孔１１から抜かれ、回転支点５を中心に可動架台４とともに容器３が前傾するように回転される。回転は、上ビーム４ａの両側延設部が支柱６に係止されるまで行われ、その状態にて容器３は前傾姿勢に保たれる。
【００２０】
この状態においては、とくに図２に示すように、容器３からのカートリッジ型内挿物２の抜き出し用スペース、および容器３へのカートリッジ型内挿物２の装填用スペースは、装置外部、とくに本実施態様では装置前部に確保されることになる。この部分には、配管等の障害物は存在しないから、容器３の上蓋を外すことによってカートリッジ型内挿物２は極めて容易に交換される。
【００２１】
カートリッジ型内挿物２の交換後には、容器３は可動架台４とともに回転支点５を中心に所定の姿勢（たとえば、垂直姿勢）になるまで回転され、ストッパ機構９のストッパピン１０が上側取付腕７の孔１１に挿入されることにより、装置内において所定の姿勢に固定される。これだけの簡単な操作でカートリッジ型内挿物２の交換作業が完了する。
【００２２】
このように、容器３を装置から取り外してカートリッジ型内挿物２を交換する場合に比べ、交換作業が極めて容易になり、メンテナンス性が大幅に向上される。また、容器３の所定の装置内固定位置に対し、その上部等に機器や配管を配置してもカートリッジ型内挿物２の交換作業には影響しなくなるので、このような部位にも機器や配管を密に配置することが可能になり、ユニット型装置１全体として大幅な小型化が可能になる。
【００２３】
なお、上記実施態様においては、容器３に可動架台４とともに回転動作のみを行わせるようにしたが、回転動作に代えて、スライド動作、たとえば、容器３を可動架台４とともに装置前方にスライド移動できるようにし、それによってカートリッジ型内挿物の交換用スペースを装置外部に確保することも可能である（図示略）。さらに、本発明における回転動作と、スライド動作をともに行わせることも可能である。
【００２４】
このような本発明に係るユニット型装置の構成は、前述したように各種水処理装置や紫外線殺菌装置等にとくに有用なものであるが、その他の装置に対しても、カートリッジ型内挿物が装填される容器をユニット型装置として組み込んだものであれば、本発明はあらゆるユニット型装置に適用可能である。
【００２５】
【発明の効果】
以上説明したように、本発明に係るユニット型装置によれば、カートリッジ型内挿物の交換用スペースを実質的に装置外部に容易に確保できるようにしたので、交換作業が極めて容易になり、メンテナンス性を大幅に向上することができる。
【００２６】
また、交換用スペースを装置内に設けなくてもよいので、装置内には制限を伴うことなく機器や配管を効率よくコンパクトに配置でき、装置全体を小型化することができる。ユニット型装置全体の小型化により、運搬や、狭い場所への設置も容易化できる。
【図面の簡単な説明】
【図１】本発明の一実施態様に係るユニット型装置の正面図である。
【図２】図１の装置のＩＩ−ＩＩ線に沿う側面図である。
【図３】図１の装置のＩＩＩ−ＩＩＩ線に沿う側面図である。
【符号の説明】
１  ユニット型装置
２  カートリッジ型内挿物
３  容器
４  可動架台
４ａ  上ビーム
４ｂ  下ビーム
５  回転支点
６  支柱
７  上側取付腕
７ａ  鉤形部
８  下側取付腕
９  ストッパ機構
１０  ストッパピン
１１  孔
１２  配管
【図１】
0003788930.tif 000002
【図２】
0003788930.tif 000003
【図３】
0003788930.tif 000004